(57)【要約】【課題】  ホームページの見出しや要約などをＲＳＳ文書も含まれるＸＭＬ文書などのメタデータを構造化して記述する文書のために別途準備するのはホームページ制作をする側に負担である。そのためホームページに使用しているタイトルや文章の一部または全てをメタデータを構造化して記述する文書としている場合が多く、タイトルや本文から要約を推定して自動作成するものもあるが、適切なものであるかは限らない。【解決手段】  ホームページ制作者がインターネット上のページで見出しや要約などを項目ごとに記入して入力データを送信すると、その入力項目の一つ以上がメタデータを構造化して記述する文書として自動的に書き出され、ホームページが自動作成されるシステムにした。ホームページの更新情報などを取得・購読する側は適切な見出しや要約などを得られ、実際に詳しい情報を得るためにホームページを閲覧すべきかの判断を容易にすることができる。【選択図】図１
2007293784.tif 000002
【特許請求の範囲】
【請求項１】
インターネット上のホームページで入力された複数の所定の入力項目のうち少なくとも１つ以上の項目のデータが、送信操作に応じて、メタデータを構造化して記述する文書に入力され、前記文書への入力の際またはホームページがアクセスされる際に所定の項目に応じてホームページが自動的に作成されるようにしたホームページ自動作成システム。
【請求項２】
上記メタデータを構造化して記述する文書は、ＸＭＬ文書を含むことを特徴とする請求項１に記載されたホームページ自動作成システム。
【請求項３】
上記メタデータを構造化して記述する文書は、ＸＭＬ文書であるＲＳＳ文書を含むことを特徴とする請求項１または請求項２に記載されたホームページ自動作成システム。
【発明の詳細な説明】
【技術分野】
【０００１】  本発明は、ホームページの更新情報公開などに使われるアール  エス  エス（Ｒｉｃｈ  Ｓｉｔｅ  ＳｕｍｍａｒｙまたはＲｅａｌｌｙ  Ｓｉｍｐｌｅ  ＳｙｎｄｉｃａｔｉｏｎまたはＲＤＦ  Ｓｉｔｅ  Ｓｕｍｍａｒｙの略称、以下「ＲＳＳ」と言う）文書も含まれるエクステンシブル  マークアップ  ランゲージ（Ｅｘｔｅｎｓｉｂｌｅ  Ｍａｒｋｕｐ  Ｌａｎｇｕａｇｅ、以下「ＸＭＬ」と言う）文書などのメタデータを構造化して記述する文書によるシステムの利用を改善するインターネット技術に関する。
【背景技術】
【０００２】  従来からホームページの更新情報などを収集するシステムとしては、エイチ  ティー  エム  エル（Ｈｙｐｅｒ  Ｔｅｘｔ  Ｍａｒｋｕｐ  Ｌａｎｇｕａｇｅ、以下「ＨＴＭＬ」と言う）文書のユー  アール  エル（Ｕｎｉｆｏｒｍ  Ｒｅｓｏｕｒｃｅ  Ｌｏｃａｔｏｒ、以下「ＵＲＬ」と言う）を登録するインターネット上のページを持ち、そのＨＴＭＬ文書のファイルサイズが変更されたら更新されたとみなし、そのページ上に表示するシステムがあった。ただし、このシステムでは内容がどのように変わったかは分からなかった。【０００３】  そのためリソース  ディスクリプション  フレームワーク（Ｒｅｓｏｕｒｃｅ  Ｄｅｓｃｒｉｐｔｉｏｎ  Ｆｒａｍｅｗｏｒｋ、以下「ＲＤＦ」と言う）というウェブ上にあるリソースを記述するための統一された枠組みがＨＴＭＬの標準を定めているワールド  ワイド  ウエブ  コンソーシアム（Ｗｏｒｌｄ  Ｗｉｄｅ  Ｗｅｂ  Ｃｏｎｓｏｒｔｉｕｍ、略称「Ｗ３Ｃ」）により規格化された。【０００４】  ＨＴＭＬは画像やテキストを表示させるためのフォーマットであり、コンテンツの意味を伝えるものではない。またＲＤＦがメタデータ記述の枠組みであるのに対し、ＲＳＳはサイト要約のフォーマットとして作られ、ホームページのコンピュータによる自動的な情報の収集や分析へのアプローチを可能とした。ＲＳＳは当初ＲＤＦ構文を用いたことから、アール  ディー  エフ  サイト  サマリー（ＲＤＦ  Ｓｉｔｅ  Ｓｕｍｍａｒｙ）と呼ばれている。しかし、その後ＲＤＦ構文ではなくＸＭＬフォーマットを用いるようになっている（例えば、非特許文献１参照。）。【０００５】  ＲＳＳは、ホームページの見出しや要約などのいわゆるメタデータを構造化して記述する文書フォーマットであるＸＭＬベースの文書フォーマットである。メタデータとは一般にデータについて記述したデータである。ＲＳＳはホームページの更新情報や見出しや要約や内容などを公開するのに主に使われている（例えば、非特許文献２参照。）。【０００６】  ＲＳＳやＸＭＬなどのメタデータを構造化して記述する文書フォーマットによって、ホームページの各ページのタイトル、ＵＲＬ、見出し、要約、更新時刻などを記述することができる。そのためＲＳＳ文書も含まれるＸＭＬ文書などのメタデータを構造化して記述する文書を用いることで、多数のホームページの更新情報や見出しや要約や内容などを統一的な方法で効率的に把握することができる。【０００７】  ＲＳＳ文書の取得・購読のためにＲＳＳリーダーと呼ばれるソフトウェアが開発されている。【０００８】  ＲＳＳリーダーには、既存のインターネット閲覧用ブラウザにＲＳＳ文書を取得・購読する機能が組み込まれているものや、指定したホームページの更新情報などをコンピュータ画面に表示するソフトウエア（ティッカーソフトと呼ばれる）や、指定したホームページのＲＳＳ文書に逐次アクセスし取り込んで最新のＲＳＳ文書データを収集したホームページを生成するものなどがある。
【非特許文献１】川俣  晶、「特集  サイトの更新情報を提供する標準言語ＲＳＳ」、［ｏｎｌｉｎｅ］、平成１５年８月３０日、アットマーク  アイ  ティ  フォーラム、［平成１８年４月１９日検索］、インターネット、＜ＵＲＬ：ｈｔｔｐ：／／ｗｗｗ．ａｔｍａｒｋｉｔ．ｃｏ．ｊｐ／ｆｄｏｔｎｅｔ／ｓｐｅｃｉａｌ／ｒｓｓ／ｒｓｓ＿０１．ｈｔｍｌ＞
【非特許文献２】神崎正英、「ＲＳＳ  サイト情報の要約と公開」、［ｏｎｌｉｎｅ］、平成１５年１０月３１日、ザ  ウエブ  カンザキ、［平成１８年４月１９日検索］、インターネット、＜ＵＲＬ：ｈｔｔｐ：／／ｗｗｗ．ｋａｎｚａｋｉ．ｃｏｍ／ｄｏｃｓ／ｓｗ／ｒｓｓ．ｈｔｍｌ＞
【発明の開示】
【発明が解決しようとする課題】
【０００９】  ＲＳＳ文書とＲＳＳリーダーによるＲＳＳシステムは、上記のようにホームページの更新情報や内容などを得るのに便利なシステムであるが、ホームページの見出しや要約などをＲＳＳ文書のために別途準備するのが、ホームページ制作をする側にとって負担となっている。【００１０】  そのため、ＲＳＳ文書のため情報を別途準備するのではなく、既に作成されたホームページに使用しているタイトルや文章などの一部または全てをそのままＲＳＳ文書として出力するＲＳＳ生成ツールを使用する場合が多く、ホームページの内容が必ずしも簡潔に分かりやすくはなっていない（ＲＳＳ生成ツールについては、非特許文献２参照。）。【００１１】  ＲＳＳ生成ツールの中には、既に作成されたホームページで使用しているタイトルや本文などから要約を推定してＲＳＳ文書を自動作成するものもあるが、必ずしもその内容は、ホームページを制作する側にとっても、ホームページの更新情報や要約などを取得・購読しようとする側にとって、適切なものであるとは限らない。【００１２】  本発明は、このような従来の方法が有していた問題を解決しようとするものであり、ＲＳＳ文書も含まれるＸＭＬ文書などのメタデータを構造化して記述する文書によるシステムを利用する側にとっても適切な見出しや要約などを得られることを目的とするものである。
【課題を解決するための手段】
【００１３】  本発明は、ホームページの制作者がインターネット上の所定のページで見出しや要約などホームページの内容を項目ごとに記入して入力データを送信すると、その入力項目の少なくとも１つ以上がＲＳＳ文書も含まれるＸＭＬ文書などのメタデータを構造化して記述する文書にデータとして自動で入力され、前記文書への入力の際またはホームページがアクセスされる際にホームページが自動的に作成されるようにしたホームページ自動作成システムである。
【発明の効果】
【００１４】  上記のように、ホームページを制作する側はＲＳＳ文書のために見出しや要約などを別途準備する必要がなくなり、ＲＳＳシステムを利用する側にとっては適切な見出しや要約などを得られるようになる。【００１５】  また、既に作成されたホームページに使用しているタイトルや文章の一部または全てをそのままＲＳＳ情報としたり、既に作成されたホームページから内容を推測してＲＳＳ文書を自動作成したりする方法と違い、ＲＳＳシステムを利用する側にとっても適切な見出しや要約などを得られるようになる。【００１６】  さらに、ＲＳＳシステムを利用する側は適切な見出しや要約などを得られるので、ＲＳＳリーダーで１つまたは複数のホームページの更新情報や内容などを得るなどしている場合に、詳しい情報を得るために実際にホームページを閲覧すべきかの判断を容易にすることができるようになる。
【発明を実施するための最良の形態】
【００１７】  以下、本発明の実施の形態を図面を参照して説明する。【００１８】  図においては、１は図示しないがコンピュータ上でインターネットを介してアクセスできるホームページ自動作成システムの入力ページである。２はタイトルの入力項目欄、３は見出しの入力項目欄、４は要約の入力項目欄である。また、５は入力ページ１にある入力送信ボタンである。【００１９】  次に、６はデータベースなどの記憶装置である。そして、７はホームページを自動作成するシステムプログラムである。【００２０】  ８はＲＳＳ文書も含まれるＸＭＬ文書である。９は自動作成されたホームページであり、１０は自動作成されたホームページ９にあるＲＳＳ文書を含むＸＭＬ文書８へのリンクボタンである。【００２１】  以下、上記構成の動作を説明する。ホームページを作成したい人が入力ページ１において、たとえば入力項目欄２にタイトルを入力し、入力項目欄３に見出しを入力し、入力項目欄４に要約を入力し、入力送信ボタン５を押して送信すると、その信号はデータベースなどの記憶装置６に入力され蓄積される。なお、入力項目は、上記入力項目２、３、４以外にたとえば解説、本文、住所、更新日時などを入力できるようにしておいてもいいことはもちろんである。【００２２】  記憶装置６に蓄積された情報は、システムプログラム７によって処理され、入力情報のうち見出しや要約など一つ以上または全てのデータはＲＳＳ文書も含まれるＸＭＬ文書８に自動的に入力され、ホームページ９が自動作成される。【００２３】  なおホームページ９を自動作成する方法は２つある。１つめは、ＲＳＳ文書も含まれるＸＭＬ文書８に自動的に入力されたと同時にホームページ９が自動作成される方法である。この方法は、図示しないが外部からホームページにアクセスしてきた時点の以前にホームページ９を自動作成しているため、静的ホームページ自動作成である。２つめは、図示しないが外部からホームページにアクセスしてきた時点においてホームページ９が自動作成される方法である。この方法は動的ホームページ自動作成である。【００２４】  ホームページの制作者が情報を更新しようとする際にも、上記と同様に、入力ページ１においてたとえば見出しと要約を更新する場合、情報更新の内容によってデータベースなどの記憶装置６に蓄積された情報が変更され、システムプログラム７によって、変更入力された情報の一つ以上または全てを、ＲＳＳ文書も含まれるＸＭＬ文書８に自動で入力する。なお入力には、変更されていない情報の一部または全てをともなう場合と、変更されていない情報を全くともなわない場合がある。そしてホームページ９が情報変更した内容で自動作成される。情報更新の場合も、ホームページ９が情報変更した内容で自動作成される方法には、静的ホームページ自動作成の方法と動的ホームページ自動作成の方法がある。【００２５】  ホームページの更新情報や内容などを知りたい第三者は、ＲＳＳ文書も含まれるＸＭＬ文書８へのリンクボタン１０を利用して、図示しないＲＳＳリーダーに、ＲＳＳ文書も含まれるＸＭＬ文書８へのリンクを登録することにより、ＲＳＳ文書も含まれるＸＭＬ文書８を取得・購読することができる。【００２６】  なお、上記���施例の記憶装置６には、データベース化されていない一時保存ファイルを保存する記憶装置を使用する場合もある。【００２７】  上記実施例は記憶装置６を備えているものについて述べたが、本発明はこの記憶装置６を備えていないものにも適応できるものであって、この場合、入力ページ１の項目入力後に入力送信ボタン５を押すと、入力した情報が直接システムプログラム７に送られ、ＲＳＳ文書も含まれるＸＭＬ文書８とホームページ９を自動作成するといった構成も実施可能である。【００２８】  また、上記実施例では、ＲＳＳ文書も含まれるＸＭＬ文書で説明したが、本発明はこれに限られるものではない。たとえばＲＳＳ文書以外のＸＭＬ文書も当然含まれるものであるし、ＸＭＬ文書以外の、ホームページの見出しや要約などのいわゆるメタデータを構造化して記述する文書フォーマットでも当然実施可能である。
【図面の簡単な説明】
【００２９】
【図１】  ＲＳＳ文書も含まれるＸＭＬ文書などのメタデータを構造化して記述する文書へ自動入力するホームページ自動作成システムの概念図
【符号の説明】
【００３０】      １    入力ページ
２    入力項目欄（タイトル）
３    入力項目欄（見出し）
４    入力項目欄（要約）
５    入力送信ボタン
６    記憶装置
７    システムプログラム
８    ＲＳＳ文書も含まれるＸＭＬ文書
９    ホームページ
１０    リンクボタン
【図１】
2007293784.tif 000003